(57)【要約】【課題】製品の包装上に粘着させ、各層の粘着シートに製品情報を印刷し、印刷可能なスペースが大きい多層粘着シートを提供する。【解決手段】多層粘着シートは、底部シート１及び外部シート２を備える。前記底部シート１の一面又は二面には、底部シート印刷層が形成される。前記底部シート１の一面の最外部には、貼合層が形成され、他面の最外部には、底部シート離型層が形成される。前記外部シート２の一面又は二面には、外シート印刷層２２が形成される。前記外部シート２の一面の最外部には、外シート複粘着層が形成される。前記外シート複粘着層は、前記底部シート離型層上に粘着され、前記底部シート離型層から前記外シート複粘着層が繰り返して粘着又は剥がされ得る。【選択図】図１
0003232604.tif 000002
【実用新案登録請求の範囲】
【請求項１】
底部シート及び外部シートを備えた、多層粘着シートであって、
前記底部シートの一面又は二面には、底部シート印刷層が形成され、
前記底部シートの一面の最外部には、貼合層が形成され、他面の最外部には、底部シート離型層が形成され、
前記外部シートの一面又は二面には、外シート印刷層が形成され、
前記外部シートの一面の最外部には、外シート複粘着層が形成され、
前記外シート複粘着層は、前記底部シート離型層上に粘着され、
前記底部シート離型層から前記外シート複粘着層が繰り返して粘着又は剥がされ得ることを特徴とする、
多層粘着シート。
【請求項２】
前記底部シートと前記外部シートとの間には、１つ以上の中間シートが形成され、前記中間シートの一面又は二面には、中間シート印刷層が形成され、前記中間シートは、一面の最外部に中間シート複粘着層が形成され、他面の最外部に中間シート離型層が形成され、前記中間シート複粘着層は、前記底部シート離型層上に粘着され、前記外シート複粘着層は、前記中間シート離型層上に粘着され、前記底部シート離型層から前記中間シート複粘着層が繰り返して粘着又は剥がされ得て、前記中間シート離型層から前記外シート複粘着層が繰り返して粘着又は剥がされ得ることを特徴とする請求項１に記載の多層粘着シート。
【請求項３】
前記外部シートの隅部には、切角部が設けられ、前記中間シートには、前記切角部に対応した箇所に中間切角部が設けられることを特徴とする請求項１又は２に記載の多層粘着シート。
【考案の詳細な説明】
【技術分野】
【０００１】
本考案は、多層粘着シートに関し、特に、製品の包装上に粘着させ、各層の粘着シートに製品情報を印刷し、印刷可能なスペースが大きい多層粘着シートに関する。
【背景技術】
【０００２】
多くの製品は、包装箱又は製品の容器上に製品情報のシールを貼り付けている。製品情報は、製品の内容物又は販売の必要性に応じて製品情報（例えば、製品名、成分、期限、標章、製造メーカーなど）を完全かつ明確に表示しなければならず、言語毎に記載する必要がある。このため大きな印刷面積が必要であるが、包装箱又は製品の容器上の面積には限界があり、１枚のシールだけでは十分な印刷面積を提供することは困難であった。
【０００３】
そのため、繰り返して粘着したり剥がしたりすることが可能な上、多層シールの見ることが可能な表面上に印刷可能な多層粘着シートが求められていた。
【考案の概要】
【考案が解決しようとする課題】
【０００４】
本考案の課題は、製品の包装上に粘着させ、各層の粘着シートに製品情報を印刷し、印刷可能なスペースが大きい多層粘着シートを提供することにある。
【課題を解決するための手段】
【０００５】
上記課題を解決するために、本考案の第１の形態によれば、底部シート及び外部シートを備えた、多層粘着シートであって、前記底部シートの一面又は二面には、底部シート印刷層が形成され、前記底部シートの一面の最外部には、貼合層が形成され、他面の最外部には、底部シート離型層が形成され、前記外部シートの一面又は二面には、外シート印刷層が形成され、前記外部シートの一面の最外部には、外シート複粘着層が形成され、前記外シート複粘着層は、前記底部シート離型層上に粘着され、前記底部シート離型層から前記外シート複粘着層が繰り返して粘着又は剥がされ得ることを特徴とする、多層粘着シートが提供される。
【０００６】
前記底部シートと前記外部シートとの間には、１つ以上の中間シートが形成され、前記中間シートの一面又は二面には、中間シート印刷層が形成され、前記中間シートは、一面の最外部に中間シート複粘着層が形成され、他面の最外部に中間シート離型層が形成され、前記中間シート複粘着層は、前記底部シート離型層上に粘着され、前記外シート複粘着層は、前記中間シート離型層上に粘着され、前記底部シート離型層から前記中間シート複粘着層が繰り返して粘着又は剥がされ得て、前記中間シート離型層から前記外シート複粘着層が繰り返して粘着又は剥がされ得ることが好ましい。
【０００７】
前記外部シートの隅部には、切角部が設けられ、前記中間シートには、前記切角部に対応した箇所に中間切角部が設けられることが好ましい。
【図面の簡単な説明】
【０００８】
【図１】本考案の第１実施形態に係る多層粘着シートを示す斜視図である。
【図２Ａ】本考案の第１実施形態に係る多層粘着シートの底部シートを示す断面図である。
【図２Ｂ】本考案の第１実施形態に係る多層粘着シートの外部シートを示す断面図である。
【図３】本考案の第１実施形態に係る多層粘着シートの使用状態の斜視図である。
【図４】本考案の第２実施形態に係る多層粘着シートを示す斜視図である。
【図５】本考案の第２実施形態に係る多層粘着シートの中間シートを示す断面図である。
【図６】本考案の第２実施形態に係る多層粘着シートの使用状態の斜視図である。
【図７Ａ】本考案の第３実施形態に係る多層粘着シートの外部シートを示す断面図である。
【図７Ｂ】本考案の第３実施形態に係る多層粘着シートの中間シートを示す断面図である。
【図８】本考案の第３実施形態に係る多層粘着シートの使用状態の斜視図である。
【図９】本考案の第４実施形態に係る多層粘着シートを示す斜視図である。
【考案を実施するための形態】
【０００９】
本考案の他の技術内容、特徴及び効果について、以下、図面を参照しながら好適な実施形態の詳細な説明で明らかにする。
【００１０】
一部の構造は小さすぎて識別が困難な層状構造であるため、一部の斜視図ではその要素の位置をはっきりと表示することができない。そのため、本考案では誤解を招くことを防ぐために、斜視図では小さすぎて表示が困難な構造は表示されておらず、部分拡大断面図が採用されている。
【００１１】
（第１実施形態）
図１、図２Ａ及び図２Ｂを参照する。
図１は、本考案の第１実施形態に係る多層粘着シートを示す斜視図である。図２Ａは、本考案の第１実施形態に係る多層粘着シートの底部シートを示す断面図である。図２Ｂは、本考案の第１実施形態に係る多層粘着シートの外部シートを示す断面図である。図１、図２Ａ及び図２Ｂに示すように、本考案の第１実施形態に係る多層粘着シートは、少なくとも底部シート１及び外部シート２から構成されてなる。
【００１２】
底部シート１は、一面に形成された貼合層１１と、他面に形成された底部シート印刷層１２と、最外側に位置する底部シート離型層１３と、を有する。
【００１３】
外部シート２は、一面に形成された外シート複粘着層２１と、他面に形成された外シート印刷層２２と、を有する。
【００１４】
図２Ａ、図２Ｂ及び図３を参照する。
図２Ａ、図２Ｂ及び図３に示すように、貼合層１１は、製品５上に粘着され、外シート複粘着層２１は、底部シート離型層１３上に粘着され、外部シート２は、底部シート１上に粘着され、底部シート離型層１３から外シート複粘着層２１が繰り返して粘着又は剥がされ得るため、外部シート２を底部シート１から剥がすことができ、底部シート印刷層１２に印刷した商品情報を見ることができる。底部シート印刷層１２及び外シート印刷層２２に製品情報を印刷することができるため、印刷面積が増え、製品５の体積が小さめの場合か、製品情報が多すぎる場合にも適用できる。
【００１５】
（第２実施形態）
図４及び図５を参照する。
図４及び図５に示すように、本考案の第２実施形態に係る多層粘着シートは、底部シート１と外部シート２との間に形成された１つ以上の中間シート３を有してもよい。中間シート３は、一面に形成された中間シート複粘着層３１と、他面に形成された中間シート印刷層３２と、最外側に位置する中間シート離型層３３と、を有する。
【００１６】
図５及び図６を参照する。
図５及び図６に示すように、第２実施形態の中間シート複粘着層３１は、底部シート離型層１３上に粘着され、外シート複粘着層２１は、中間シート離型層３３上に粘着され、中間シート３は、底部シート１と外部シート２との間に粘着され、底部シート離型層１３から中間シート複粘着層３１が繰り返して粘着又は剥がされ得る。中間シート離型層３３は、外シート複粘着層２１から繰り返して粘着又は剥がされ得るため、外部シート２を中間シート３から剥がすと、中間シート３を底部シート１から剥がすことができ、底部シート印刷層１２及び中間シート印刷層３２に印刷した製品情報を見ることができる。底部シート印刷層１２、外シート印刷層２２及び中間シート印刷層３２には、製品情報を印刷することができるため、印刷可能なスペースが大きい。
【００１７】
図５及び図６に示すように、底部シート１、外部シート２及び中間シート３は、同じサイズ及び形状であるが、異なる材料からなってもよい。
【００１８】
（第３実施形態）
図７Ａ及び図８を参照する。
図７Ａ及び図８に示すように、本考案の第３実施形態に係る多層粘着シートは、外部シート２と外シート複粘着層２１との間に外シート印刷層２２が形成されてもよい。外部シート２を剥がすと、外シート印刷層２２を見ることができ（図７Ｂ及び図８を参照する）、中間シート３と中間シート複粘着層３１との間には、中間シート離型層３３が形成されてもよい。中間シート３を剥がすと、中間シート離型層３３が見える。このように本考案は印刷可能なスペースが大きい。
【００１９】
（第４実施形態）
図９を参照する。
図９に示すように、本考案の第４実施形態に係る多層粘着シートは、外部シート２及び中間シート３の同一側に固定部４が形成される。固定部４は、外部シート２及び中間シート３が底部シート１から完全に剥がれることを防ぐことができる。
【００２０】
図１及び図４に示すように、本実施形態の多層粘着シートは、外部シート２の隅部に設けられた切角部２３を有する。中間シート３は、切角部２３に対応した箇所に中間切角部３４が形成される。切角部２３及び中間切角部３４を用いると、外部シート２及び中間シート３を容易に剥がすことができる。
【００２１】
当該分野の当業者にとって理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  底部シート
２  外部シート
３  中間シート
４  固定部
５  製品
１１  貼合層
１２  底部シート印刷層
１３  底部シート離型層
２１  外シート複粘着層
２２  外シート印刷層
２３  切角部
３１  中間シート複粘着層
３２  中間シート印刷層
３３  中間シート離型層
３４  中間切角部
【図１】
0003232604.tif 000003
【図２Ａ】
0003232604.tif 000004
【図２Ｂ】
0003232604.tif 000005
【図３】
0003232604.tif 000006
【図４】
0003232604.tif 000007
【図５】
0003232604.tif 000008
【図６】
0003232604.tif 000009
【図７Ａ】
0003232604.tif 000010
【図７Ｂ】
0003232604.tif 000011
【図８】
0003232604.tif 000012
【図９】
0003232604.tif 000013
【手続補正書】
【提出日】令和3年4月7日(2021.4.7)
【手続補正１】
【補正対象書類名】実用新案登録請求の範囲
【補正対象項目名】全文
【補正方法】変更
【補正の内容】
【実用新案登録請求の範囲】
【請求項１】
底部シート及び外部シートを備えた、多層粘着シートであって、
前記底部シートの一面又は二面には、底部シート印刷層が形成され、
前記底部シートの一面の最外部には、貼合層が形成され、他面の最外部には、底部シート離型層が形成され、
前記外部シートの一面又は二面には、外シート印刷層が形成され、
前記外部シートの一面の最外部には、外シート複粘着層が形成され、
前記外シート複粘着層は、前記底部シート離型層上に粘着され、
前記底部シート離型層から前記外シート複粘着層が繰り返して粘着又は剥がされ得ることを特徴とする、
多層粘着シート。
【請求項２】
前記底部シートと前記外部シートとの間には、１つ以上の中間シートが形成され、前記中間シートの一面又は二面には、中間シート印刷層が形成され、前記中間シートは、一面の最外部に中間シート複粘着層が形成され、他面の最外部に中間シート離型層が形成され、前記中間シート複粘着層は、前記底部シート離型層上に粘着され、前記外シート複粘着層は、前記中間シート離型層上に粘着され、前記底部シート離型層から前記中間シート複粘着層が繰り返して粘着又は剥がされ得て、前記中間シート離型層から前記外シート複粘着層が繰り返して粘着又は剥がされ得ることを特徴とする請求項１に記載の多層粘着シート。
【請求項３】
前記外部シートの隅部には、切角部が設けられ、前記中間シートには、前記切角部に対応した箇所に中間切角部が設けられることを特徴とする請求項２に記載の多層粘着シート。